(57)【要約】【課題】本発明は、内線電話機端末の着信履歴情報メモリに蓄積された発信者番号をそのまま利用して公衆網等への局線発信を可能とする、構内交換装置における着信接続処理並びに発信者番号処理方法を提供する。【解決手段】構内交換装置に局線を介しかつ発信者番号通知を含む着信呼に対する着信接続処理方法において、発信者番号通知に含まれる発信者番号を検出するステップと、該検出された発信者番号に外部交換網特定用ダイヤル番号を付加して編集発信者番号を生成するステップと、着信呼の着信要求先内線端末への接続処理を為すと共に、編集発信者番号を該着信要求先内線端末に送出するステップとを設ける。【選択図】図２
2007124121.tif 000002
【特許請求の範囲】
【請求項１】
構内交換装置に局線を介しかつ発信者番号通知を含む着信呼に対する着信接続処理方法であって、
前記発信者番号通知に含まれる発信者番号を検出するステップと、
該検出された発信者番号に外部交換網特定用ダイヤル番号を付加して編集発信者番号を生成するステップと、
前記着信呼の着信要求先内線端末への接続処理を為すと共に、前記編集発信者番号を前記着信要求先内線端末に送出するステップと、を含むことを特徴とする構内交換装置における着信接続処理方法。
【発明の詳細な説明】
【技術分野】
【０００１】
本発明は、局線を介して構内交換装置に到来した発信者番号通知を含む着信呼に対する着信接続処理方法に関する。
【背景技術】
【０００２】
従来、構内交換装置において公衆網等の局線からの着信があった際に、当該着信呼に発信者番号通知情報が含まれていた場合、特許文献１乃至３等の公知文献に示される如く、構内交換装置は受信した発信者番号をそのまま着信先の内線電話機端末に通知していた。かかる発信者番号を受信した内線電話機端末は、当該番号を電話機上のディスプレイに表示すると同時に、これを電話機内部の着信履歴情報メモリに蓄積することができる。その後、内線電話機端末は、同メモリに蓄積された発信者番号を発呼時のダイヤル情報として利用することも可能である。
【０００３】
一方、通常の構内交換装置では、同装置に収容されている内線電話機端末から公衆網などの外部通信網へ発信を行う際に、いわゆる特番と呼ばれる特別のダイヤル番号を用いたシステムが利用されることが多い。かかるシステムでは、内線電話機端末から構内交換装置を介して公衆網等の外部通信網に発信を行う際に、内線電話機端末は、先ず特番をダイヤルして当該発信呼が外部通信網への発信であることを構内交換装置に認識させ、その後に接続相手先の電話番号をダイヤルする手順を必要とする。なお、この外部通信網としては、公衆回線網または専用回線網がある。
【０００４】
したがって、このようなシステムにおいては、内線電話機端末のユーザが着信履歴情報メモリに蓄積された発信者番号を端末からの発呼時にそのまま利用すると、外部の公衆網への発信を識別する特番ダイヤルが不足するため構内交換装置は正しい交換接続処理を行うことができないという問題があった。
【特許文献１】特開平０５−２４４２９４号公報
【特許文献２】特開平１０−０１３５４７号公報
【特許文献３】特開２０００−１５１８１７号公報
【発明の開示】
【発明が解決しようとする課題】
【０００５】
本発明は、このような問題を解決するために為されたものであって、内線電話機端末の着信履歴情報メモリに蓄積された発信者番号をそのまま利用して、外部の公衆網等への局線発信が可能な構内交換装置の発信者番号処理方法を提供する。
【課題を解決するための手段】
【０００６】
本発明は、構内交換装置に局線を介しかつ発信者番号通知を含む着信呼に対する着信接続処理方法であって、前記発信者番号通知に含まれる発信者番号を検出するステップと、該検出された発信者番号に外部交換網特定用ダイヤル番号を付加して編集発信者番号を生成するステップと、前記着信呼の着信要求先内線端末への接続処理を為すと共に、前記編集発信者番号を前記着信要求先内線端末に送出するステップとを含むことを特徴とする。
【発明を実施するための最良の形態】
【０００７】
【実施例１】
【０００８】
本発明による構内交換装置の発信者番号処理方法の実施例を図１に示す。
【０００９】
同図において外部通信網１０は、例えば、ＮＴＴなどの加入者電話回線による公衆回線網であっても良いし、或いは、その他の加入者回線網や専用回線網等の外部通信網であっても良い。
【００１０】
構内交換装置２０（以下、単に“ＰＢＸ２０”と称する）は、内線電話機端末３０（以下、単に“端末３０”と称する）同士、或いは、端末３０と外部通信網１０との接続制御を司る構内交換機（ＰＢＸ）である。ＰＢＸ２０は、外部通信網１０との接続制御を担う網インターフェース部２２（以下、単に“網ＩＦ部２２”と称する）、端末３０との接続制御を担う端末インターフェース部２３（以下、単に“端末ＩＦ部２３”と称する）、ＰＢＸ２０内の各部の制御を担う交換制御部２１、及び交換制御部２１が制御処理を行う際に必要とされる各種のプログラムやデータ等の情報が記憶されているメモリ部２４を含んでいる。
【００１１】
網ＩＦ部２２は、局線トランク回路（図示せず）等の各種回路を介して外部通信網１０と接続されている。網ＩＦ部２２は、ＰＢＸ２０からの発信処理及びＰＢＸ２０への着信処理を司り、外部通信網１０からの着信呼に発信者番号通知情報が含まれている場合は、かかる情報から発信者番号を検知・抽出する機能を有している。
【００１２】
端末３０は、内線網（図示せず）によってＰＢＸ２０の端末ＩＦ部２３に接続されている。なお、かかる内線網は、メタルケーブルや光ファイバーケーブルによる有線接続によって構成されていても良いし、或いは小電力電波や微弱電波を利用した無線接続によって構成されていても良い。また、ＰＢＸ２０に接続される端末３０の数は、本発明の実施の態様に応じて任意に選択し得るものとする。
【００１３】
端末３０は、ＰＢＸ２０の端末ＩＦ部２３への発信及び端末ＩＦ部２３からの着信要求を制御する端末制御部３１、該着信要求に含まれる発信者番号を着信履歴として蓄積するメモリ部３２、該発信者番号及びその他の情報を端末機器上に表示する表示部３３を含んでいる。なお、端末３０は、メモリ部３２に記憶されている発信者番号を用いて、ＰＢＸ２０に対して発信要求を行う機能を備えていることは言うまでもない。
【００１４】
また、端末３０は、通常の電話機端末に限定されるものではなく、例えば、ファクシミリ機能やその他のデータ端末機能を備えた端末機器であっても良い。また、コードレス電話機やボタン電話機等における、いわゆる親局機能を有する端末機器であっても良い。
【００１５】
次に、図１の実施例における処理動作について、図２に示す動作フローチャートを参照しつつ説明を行う。
【００１６】
なお、本実施例における動作の前提条件として、外部通信網１０から端末３０を接続相手先に指定した着信呼が為されたものと想定し、かつ、かかる着信呼において発信者番号情報の通知が為されるものとする。また、本実施例では、端末３０からの発信が外部通信網１０への発信であることをＰＢＸ２０が認識するための特別の番号（以下、単に“特番”と称する）として、最初に「０」をダイヤルする必要があるものとする。
【００１７】
先ず、図２に示されるフローチャートにおいて、網ＩＦ部２２は外部通信網１０からの着信の検出処理を実行する（ステップＳ２０１）。網ＩＦ部２２は、続くステップＳ２０２において当該着信呼に発信者番号通知情報が含まれているか否かを判定する。
【００１８】
ステップＳ２０２で発信者番号通知情報が含まれていると判定された場合、網ＩＦ部２２は、次のステップＳ２０３において、当該着信呼の発信者番号通知情報の中から発信者番号に関する情報を抽出・取得する。因みに、本実施例では、かかる発信者番号として「０３−１２３４−５６７８」なる電話番号が取得されたものと仮定する。
【００１９】
交換制御部２１は、次のステップＳ２０４において、網ＩＦ部２２によって抽出・取得された発信者番号に基づいて発信者番号編集処理を実行する。かかる処理によって、取得された発信者番号「０３−１２３４−５６７８」の先頭桁の前に、外部通信網１０への発信をＰＢＸ２０が認識するための特番「０」が付加された編集後発信者番号「０−０３−１２３４−５６７８」が生成される。
【００２０】
そして、続くステップＳ２０５において、今回の着信呼が指定している接続相手先の内線電話端末を特定する着信先端末決定処理が実行され、当該着信呼の接続先である端末３０が特定される。
【００２１】
ステップＳ２０５において着信先の端末が特定されると、交換制御部２１は、接続先の端末が発信者番号の受信機能備えた端末機器であるか否かの判定を行う（ステップＳ２０６）。かかる判定は、例えば、メモリ部２４内にＰＢＸ２０に収容されている各内線に対応する電話機端末毎の属性を記憶した端末属性テーブルを予め設けておいて、かかる端末属性テーブルを利用して判定するようにしてもよい。すなわち、ステップＳ２０５で特定された端末の内線番号をインデックスとして端末属性テーブルを検索し、検索された端末における発信者番号の受信機能の具備をチェックするようにしても良い。
【００２２】
ステップＳ２０６において端末が発信者番号の受信機能備えた端末機器であると判定された場合、交換制御部２１は端末ＩＦ部２３に対して、上記のステップＳ２０４で生成された編集後発信者番号「０−０３−１２３４−５６７８」を端末３０に通知するように指示を行う（ステップＳ２０７）。
【００２３】
その後、交換制御部２１は、さらに端末ＩＦ部２３に対して、端末３０に対して外部通信網１０からの着信が有った旨を了知させる着信要求を行う指示を出して、図２の動作フローチャートに示される処理を終了させる（ステップＳ２０８）。
【００２４】
一方、上記のステップＳ２０２において、着信呼に発信者番号通知に関する情報が含まれていないと判定された場合、若しくは、ステップＳ２０６において特定された端末機器が発信者番号の受信機能を具備していない端末機器であると判定された場合は、何れも本発明による処理を実行する必要が無いためステップＳ２０８に移行して通常の着信要求処理（ステップＳ２０８）を行った後に、図２の動作フローチャートに示される処理を終了させる。
【００２５】
なお、以上に説明した動作フローチャートは、本発明による処理方法の一例を示すものであって、本発明の実施がかかるフローチャートに示されるシーケンスに限定されるものではない。
【００２６】
例えば、上記のステップＳ２０２において、着信呼に発信者番号通知に関する情報が含まれていると判定された直後（ステップＳ２０２の“ＹＥＳ”方向に分岐するとき）に、ステップＳ２０６における接続先の端末が発信者番号の受信機能備えた端末機器であるか否かの判定を行うようにしても良い。或いは、ステップＳ２０２の判定処理に先立ってステップＳ２０６の判定処理を行うようにしても良い。
【００２７】
一方、端末３０の端末制御部３１は、内線網（図示せず）を介してＰＢＸ２０の端末ＩＦ部２３からの着信要求を受信すると、直ちに端末３０の状態を着信状態に遷移させる。そして、ＰＢＸ２０から受信した編集後発信者番号である「０−０３−１２３４−５６７８」を表示部３３のディスプレイパネル（図示せず）上に表示し、同時にかかる番号を着信履歴としてメモリ部３２に蓄積記憶する。
【００２８】
その後、端末３０のユーザは、メモリ部３２に記憶された着信履歴情報、即ち編集後発信者番号である「０−０３−１２３４−５６７８」をそのまま利用することにより、通常の発信操作によって外部通信網１０を経由した接続相手先への発信を行うことができる。
【００２９】
以上に説明したように、本発明によれば、公衆網等の外部通信網から到来した発信者番号の前に特番を付加して編集後発信者番号を生成し、かかる編集後発信者番号を着信呼の接続相手先の内線電話機端末に送信する。同端末は受信した番号を着信履歴として保存するので、その後、同端末のユーザは、特番をダイヤルするというＰＢＸ特有の操作を意識することなく、着信履歴に記憶された発信者番号をそのまま利用して当該外部通信網に対して発信操作を行うことができる。
【００３０】
なお、上記の実施例では、一種類の特番として「０」のみを付加する場合を例に取って説明を行ったが、本発明の実施はかかる事例に限定されるものではない。例えば、ＰＢＸ２０のメモリ部２４内に、図３に示すような複数の特番を記憶したテーブルを準備しておいて、異なる外部通信網毎に固有の特番を付加する構成としても良い。かかる構成を取ることによって、内線端末のユーザは外部通信網毎に固有の特番を意識することなく、ＰＢＸに接続された複数の外部通信網に対して容易に発信操作を行うことが可能となる。
【図面の簡単な説明】
【００３１】
【図１】図１は、本発明の実施例を示すブロック図である。
【図２】図２は、図１の実施例における処理動作を示すフローチャートである。
【図３】図３は、本発明の実施において複数の外部通信網毎に異なる特番を設けた場合の特番テーブルの構成を示す説明図である。
【符号の説明】
【００３２】
１０      外部通信網
２０      構内交換装置
２１      交換制御部
２２      網インターフェース部
２３      端末インターフェース部
２４      メモリ部
３０      内線電話機端末
３１      端末制御部
３２      メモリ部
３３      表示部
【図１】
2007124121.tif 000003
【図２】
2007124121.tif 000004
【図３】
2007124121.tif 000005